(57)【要約】【課題】好適な画像表示が可能な画像表示装置を提供する。【解決手段】本発明の画像表示装置１は、入力される画像信号を画像として表示する画像表示装置であって、画素毎に光の透過率を制御可能な透過光式パネル１１と当該透過光式パネル１１を背面から照光するローカルディミング制御可能なバックライト部１２とを有する表示パネル１０と、入力された画像信号を解析する画像解析部４１と、前記画像解析部４１によって解析された画素の輝度以外の情報に基づいてローカルディミング制御を行う領域を判定する判定部４２と、前記判定部４２による判定結果に基づいて前記バックライト部１２をローカルディミング制御する制御部４３と、を備える。【選択図】図１
2013161053.tif 000002
【特許請求の範囲】
【請求項１】
入力される画像信号を画像として表示する画像表示装置であって、
画素毎に光の透過率を制御可能な透過光式パネルと当該透過光式パネルを背面から照光するローカルディミング制御可能なバックライト部とを有する表示パネルと、
入力された画像信号を解析する画像解析部と、
前記画像解析部によって解析された画素の輝度以外の情報に基づいてローカルディミング制御を行う領域を判定する判定部と、
前記判定部による判定結果に基づいて前記バックライト部をローカルディミング制御する制御部と、
を備えることを特徴とする画像表示装置。
【請求項２】
請求項１に記載の画像表示装置であって、
前記画像解析部は、入力された画像信号から画素の彩度を解析し、
前記判定部は、前記画像解析部によって解析された画素の彩度の高い領域をローカルディミング領域として判定すること、
を特徴とする画像表示装置。
【請求項３】
請求項２に記載の画像表示装置であって、
前記画像解析部は、入力された画像信号から画素の彩度と明るさとを解析し、
前記判定部は、彩度に基づいてローカルディミング領域が判定されない場合には、前記画像解析部によって解析された画素の明るさに基づいてローカルディミング領域を判定すること、
を特徴とする画像表示装置。
【請求項４】
請求項１に記載の画像表示装置であって、
前記画像解析部は、入力された画像信号から画像処理が施された領域を解析し、
前記判定部は、前記画像解析部によって解析された画像処理が施された領域をローカルディミング領域として判定すること、
を特徴とする画像表示装置。
【請求項５】
請求項１に記載の画像表示装置であって、
前記画像解析部は、入力された画像信号から人物の顔領域を解析し、
前記判定部は、前記画像解析部によって解析された人物の顔領域をローカルディミング領域として判定すること、
を特徴とする画像表示装置。
【請求項６】
請求項１〜４のいずれか１項に記載の画像表示装置であって、
前記バックライト部は、光源密度が異なること、
を特徴とする画像表示装置。
【請求項７】
請求項１〜５のいずれか１項に記載の画像表示装置であって、
前記制御部は、ローカルディミング制御前の画像を表示しつつ、ローカルディミング制御後の画像を更新して表示すること、
を特徴とする画像表示装置。
【請求項８】
入力される画像信号を解析する画像解析部と、
前記画像解析部によって解析された画素の輝度以外の情報に基づいてローカルディミング制御を行う領域を判定する判定部と、
前記判定部による判定結果に基づいて、画素毎に光の透過率を制御可能な透過光式パネル（１１）と当該透過光式パネル（１１）を背面から照光するローカルディミング制御可能なバックライト部（１２）とを有する表示パネル（１０）の該バックライト部をローカルディミング制御する制御部と、
の機能をコンピュータに実行させること、を特徴とする画像表示プログラム。
【発明の詳細な説明】
【技術分野】
【０００１】
本発明は、画像表示装置に関するものである。
【背景技術】
【０００２】
従来、画像信号を画像として表示するたとえば液晶ディスプレイ等の表示装置として、画素毎に光の透過率を制御可能な透過光式パネルを背面側からバックライトで照光するように構成されたものがある。
このようなバックライトを備える表示装置において、表示画像の輝度に応じて対応する領域のバックライトの明るさを変化させる、いわゆるローカルディミング制御が知られている（例えば、特許文献１参照）。
【先行技術文献】
【特許文献】
【０００３】
【特許文献１】特開２００９−１７５７４０号公報
【発明の概要】
【発明が解決しようとする課題】
【０００４】
しかし、表示画像の輝度に応じて対応する領域のバックライトの明るさを変化させるローカルディミング制御は、輝度差の少ない画像に対しては機能しない。その結果、一般的な画像に対しては機能する機会が少なく、限定的な効果しか得られない。
【０００５】
本発明の課題は、好適な画像表示が可能な画像表示装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、入力される画像信号を画像として表示する画像表示装置であって、画素毎に光の透過率を制御可能な透過光式パネル（１１）と当該透過光式パネル（１１）を背面から照光するローカルディミング制御可能なバックライト部（１２）とを有する表示パネル（１０）と、入力された画像信号を解析する画像解析部（４１）と、前記画像解析部（４１）によって解析された画素の輝度以外の情報に基づいてローカルディミング制御を行う領域を判定する判定部（４２）と、前記判定部（４２）による判定結果に基づいて前記バックライト部（１２）をローカルディミング制御する制御部（４３）と、を備えることを特徴とする画像表示装置（１）である。
請求項２に記載の発明は、請求項１に記載の画像表示装置であって、前記画像解析部（４１）は、入力された画像信号から画素の彩度を解析し、前記判定部（４２）は、前記画像解析部（４１）によって解析された画素の彩度の高い領域をローカルディミング領域として判定すること、を特徴とする画像表示装置（１）である。
請求項３に記載の発明は、請求項２に記載の画像表示装置であって、前記画像解析部（４１）は、入力された画像信号から画素の彩度と明るさとを解析し、前記判定部（４２）は、彩度に基づいてローカルディミング領域が判定されない場合には、前記画像解析部によって解析された画素の明るさに基づいてローカルディミング領域を判定すること、を特徴とする画像表示装置（１）である。
請求項４に記載の発明は、請求項１に記載の画像表示装置であって、前記画像解析部（４１）は、入力された画像信号から画像処理が施された領域を解析し、前記判定部（４２）は、前記画像解析部（４２）によって解析された画像処理が施された領域をローカルディミング領域として判定すること、を特徴とする画像表示装置（１）である。
請求項５に記載の発明は、請求項１に記載の画像表示装置であって、前記画像解析部（４１）は、入力された画像信号から人物の顔領域を解析し、前記判定部（４２）は、前記画像解析部（４１）によって解析された人物の顔領域をローカルディミング領域として判定すること、を特徴とする画像表示装置（１）である。
請求項６に記載の発明は、請求項１〜４のいずれか１項に記載の画像表示装置であって、前記バックライト部（１２）は、光源密度が異なること、を特徴とする画像表示装置（１）である。
請求項７に記載の発明は、請求項１〜５のいずれか１項に記載の画像表示装置であって、前記制御部（４３）は、ローカルディミング制御前の画像を表示しつつ、ローカルディミング制御後の画像を更新して表示すること、を特徴とする画像表示装置（１）である。
請求項８に記載の発明は、入力される画像信号を解析する画像解析部（４１）と、前記画像解析部（４１）によって解析された画素の輝度以外の情報に基づいてローカルディミング制御を行う領域を判定する判定部（４２）と、前記判定部（４２）による判定結果に基づいて前記バックライト部をローカルディミング制御する制御部（４３）と、の機能をコンピュータに実行させること、を特徴とする画像表示プログラムである。
【発明の効果】
【０００８】
本発明によれば、好適な画像表示が可能な画像表示装置を提供できる。
【図面の簡単な説明】
【０００９】
【図１】本発明の一実施形態を適用した画像表示装置のブロック構成図である。
【図２】画像表示装置における表示部の構成を示す説明図である。
【図３】ローカルディミング制御のメインフローチャートである。
【図４】メインフローチャートにおける彩度対応制御のフローチャートである。
【図５】メインフローチャートにおける輝度対応制御のフローチャートである。
【図６】彩度対応制御における表示部の概念的な説明図である。
【図７】輝度対応制御における表示部の概念的な説明図である。
【図８】第２実施形態のフローチャートである。
【図９】第２実施形態における表示部の概念的な説明図である。
【図１０】第３実施形態のフローチャートである。
【図１１】第３実施形態における表示部の概念的な説明図である。
【図１２】第４実施形態における表示部の概念的な説明図である。
【発明を実施するための形態】
【００１０】
（第１実施形態）
以下、図面等を参照して、本発明の実施形態について説明する。
図１は、本発明の一実施形態を適用した画像表示装置１のブロック構成図である。図２は、画像表示装置１における表示部１０の構成を示す説明図であって、（ａ）は液晶パネル１１、（ｂ）はバックライト１２を示す。
【００１１】
図１に示す画像表示装置１は、たとえば、デジタルカメラ等によって撮影した電子画像を表示可能ないわゆるデジタルフォトフレームである。画像表示装置１は、表示部１０と、制御装置２０と、駆動部３０と、を備えている。
【００１２】
図２に示すように、表示部１０は、透過型液晶による液晶パネル１１と、その背面に配設されたバックライト１２と、により構成されている。
液晶パネル１１は、ガラス基板に液晶層を挟み込んで、マトリクス配置された複数の画素を形成して構成されている。各画素に対応する液晶層は、それぞれ透明電極を介して信号電圧が印可されることで透過率が制御されるようになっている。
液晶パネル１１には、後述する駆動部３０における液晶パネル駆動部３１によって各画素に制御信号が与えられ、これによって入力画像情報に基づく画像表示を行う。
【００１３】
バックライト１２は、複数の単位ライトユニット１２Ｕにより構成されている。単位ライトユニット１２Ｕは、液晶パネル１１における表示領域の全域を覆うように配設されており、個々の単位ライトユニット１２Ｕが、それぞれ液晶パネル１１における対応する単位表示領域１１Ｂを照光するようになっている。つまり、換言すると、液晶パネル１１による表示領域が複数の単位表示領域１１Ｂに分割され、その個々の単位表示領域１１Ｂを、対応する単位ライトユニット１２Ｕで照光するようになっている。
【００１４】
単位ライトユニット１２Ｕは、たとえば、分散配置された複数の白色ＬＥＤを備えて構成されている。個々の単位ライトユニット１２Ｕは、後述する駆動部３０におけるバックライト駆動部３２によってそれぞれ独立して、明るさ（光量）を変更可能として発光駆動されるようになっている。
【００１５】
なお、本実施形態では、全ての単位ライトユニット１２ＵにおいてＬＥＤの数および配置は同一に設定されている。しかし、単位ライトユニット１２Ｕの配設位置によって、そのＬＥＤの数および配置を異なるものとしてもよい。たとえば、ＬＥＤの配設密度の高い単位ライトユニット１２Ｕを、主要被写体が位置することの多い画面中央部に配設した構成としてもよい。このような構成とすれば、後述するローカルディミング制御においてより高い効果が得られる。
【００１６】
制御装置２０は、ＣＰＵ等を備えて構成され、入力された画像情報を後述する駆動部３０の駆動情報に変換し、その駆動情報を駆動部３０における駆動部３０および液晶パネル駆動部３１に出力して、表示部１０に画像を表示させる。また、制御装置２０は、表示部１０に画像を表示する際に、ローカルディミング制御を行うローカルディミング処理部４０を備えている。このローカルディミング処理部４０については、後に詳述する。
【００１７】
駆動部３０は、液晶パネル駆動部３１と、バックライト駆動部３２と、を備えている。
液晶パネル駆動部３１は、制御装置２０から入力される画像表示信号に基づいて液晶パネル１１を制御駆動する。
バックライト駆動部３２は、制御装置２０から入力されるバックライト発光制御信号に基づいてバックライト１２を制御駆動する。この、バックライト駆動部３２は、ローカルディミング制御時において、バックライト１２における各単位ライトユニット１２Ｕの明るさを個々に独立して可変駆動できるようになっている。
【００１８】
そして、画像表示装置１は、入力された画像情報に基づいて制御装置２０が駆動部３０を介して表示部１０を駆動して、表示部１０に画像を表示する。
【００１９】
つぎに、ローカルディミング処理部４０について詳細に説明する。
ローカルディミング処理部４０は、制御装置２０内に構成され、画像解析部４１と、判定部４２と、ローカルディミング駆動制御部４３の各機能を備えている。
【００２０】
画像解析部４１は、入力される画像情報から、画素毎の彩度情報、明るさ情報、画像処理の有無、画像中における人の顔の認識等、を必要に応じて解析する。画像解析部４１は、その解析結果を判定部４２に出力する。
判定部４２は、画像解析部４１から入力された画像解析情報に基づいて、ローカルディミング制御を行う領域（ローカルディミング領域）を判定し、ローカルディミング駆動制御部４３に出力する。
【００２１】
ローカルディミング駆動制御部４３は、判定部４２から入力されたローカルディミング領域に基づいて、バックライト駆動部３２を介して表示部１０におけるバックライト１２の駆動制御し、その明るさを単位ライトユニット１２Ｕ毎に変化させる。
【００２２】
つぎに、図３〜図７を参照して、ローカルディミング処理部４０によるローカルディミング制御について説明する。図３〜図５および以下の説明中において「ステップ」を「Ｓ」とも略記する。
【００２３】
図３は、ローカルディミング処理部４０によるローカルディミング制御のメインフローチャートである。図４は、メインフローチャートにおける彩度対応制御のフローチャートである。図５は、メインフローチャートにおける輝度対応制御のフローチャートである。図６は、彩度対応制御の概念的な説明図であって、（ａ）は表示部１０における液晶パネル１１の表示画像を、（ｂ）はバックライト１２における各単位ライトユニット１２Ｕの発光状態（明るさの差異のパターン）を、それぞれ示す。図７は、輝度対応制御の概念的な説明図であって、（ａ）は表示部１０における液晶パネル１１の表示画像を、（ｂ）はバックライト１２における各単位ライトユニット１２Ｕの発光状態を、それぞれ示す。
【００２４】
図３に示すように、ローカルディミング制御は、まず、画像解析部４１によって画面全体の平均彩度を調べる（Ｓ３１）。
ついで、ステップ３１において解析された画面全体の彩度を、予め定められた所定値（閾値）と比較する（Ｓ３２）。
そして、ステップ３２において画面全体の彩度が閾値より大きいと判断された場合（Ｙｅｓ）には、彩度対応制御を行う（Ｓ３３）。
一方、ステップ３２において画面全体の彩度が閾値より小さいと判断された場合（Ｎｏ）には、輝度対応制御を行う（Ｓ３４）。
つまり、画面全体の彩度によって、彩度対応制御と輝度対応制御のいずれかローカルディミング制御を行う。
【００２５】
つぎに、彩度対応制御について、図４のフローチャートと図６の概念説明図を参照して説明する。
図４に示すように、彩度対応制御は、判定部４２が液晶パネル１１における個々の単位表示領域１１Ｂ毎の彩度の平均を調べる（Ｓ４１）。
そして、彩度の高い単位表示領域１１Ｂを判定して、バックライト１２の発光パターンを決定する（Ｓ４２）。
なお、ここで言うバックライト１２の発光パターンとは、彩度の高い単位表示領域１１Ｂと対応する単位ライトユニット１２Ｕを通常より明るくする領域（増光領域）とし、他の単位ライトユニット１２Ｕの明るさは通常（非増光領域）とする、その配置態様である。
【００２６】
ここで、増光領域として判定された単位表示領域１１Ｂと、これと隣接する非増光領域として判定された単位表示領域１１Ｂとの境界部位は、バックライト１２（単位ライトユニット１２Ｕ）の明るさが異なって不自然となるおそれがある。これを解消するために、液晶パネル１１を駆動する駆動信号に補正処理を施す（Ｓ４３）。
【００２７】
そして、ローカルディミング駆動制御部４３が、ステップ４３において補正された駆動信号で液晶パネル１１を駆動すると共に、ステップ４２において決定された発光パターンでバックライト１２を発光させて、画像を表示する（Ｓ４４）。
つまり、バックライト１２を、彩度の高い単位表示領域１１Ｂと対応する単位ライトユニット１２Ｕを通常より明るく、他の単位ライトユニット１２Ｕは通常の明るさとして、発光させる。
【００２８】
上記のような彩度対応制御は、たとえば、図６（ａ）に示すように液晶パネル１１の表示する画像が色鮮やかな（彩度の高い）花の場合、図６（ｂ）に示すようにその花を表示する単位表示領域１１Ｂａと対応するバックライト１２における単位ライトユニット１２Ｕａが増光される。これにより、花の色鮮やかさが引き立つ。
【００２９】
つぎに、図５に示す輝度対応制御について説明する。
輝度対応制御では、判定部４２が液晶パネル１１（の表示画像）における単位表示領域１１Ｂ毎の明るさ調べ（Ｓ５１）、明るい単位表示領域１１Ｂを増光領域（バックライト１２を明るくする領域）、暗い単位表示領域１１Ｂを減光領域（バックライト１２を暗くする領域）として判定してバックライト１２の発光パターンを決定する（Ｓ５２）。
【００３０】
ここで、増光領域として判定された単位表示領域１１Ｂと、これと隣接する非増光領域または減光領域として判定された単位表示領域１１Ｂとの境界部位は、バックライト１２（単位ライトユニット１２Ｕ）の明るさが異なって不自然となるおそれがある。これを解消するために、液晶パネル１１を駆動する駆動信号に補正処理を施す（Ｓ５３）。
【００３１】
そして、ローカルディミング駆動制御部４３が、ステップ５３において補正された駆動信号で液晶パネル１１を駆動すると共に、ステップ５２において決定された発光パターンでバックライト１２を発光させて、画像を表示する（Ｓ５４）。
【００３２】
上記のような輝度対応制御は、たとえば、図７（ａ）に示すように液晶パネル１１の表示する画像が山と明るい空とを含む風景である場合、図７（ｂ）に示すように空部分を表示する単位表示領域１１Ｂｓと対応するバックライト１２における単位ライトユニット１２Ｕｓが増光され、山裾の暗い部分を表示する単位表示領域１１Ｂｍと対応する単位ライトユニット１２Ｕｍが減光される。これにより輝度ダイナミックレンジを広くできる。
【００３３】
上記のような第１実施形態におけるローカルディミング制御では、彩度対応制御によって、表示画像における彩度の高い部分のバックライト１２を明るくすることにより、見た目の鮮やかさを強調することができる。また、無彩色に近い彩度の低い部分は通常の明るさであるため、より鮮やかさを引き立たせることができる。
また、彩度対応制御を行う彩度の高い部分が無い場合には、輝度対応制御を行うことで、輝度ダイナミックレンジの広い階調を強調した表示が可能となる。
【００３４】
（第２実施形態）
つぎに、図８および図９に示す本発明における第２実施形態について説明する。
図８は、第２実施形態のフローチャートである。図９は、その概念的な説明図であって、（ａ）は表示部１０における液晶パネル１１の表示画像を、（ｂ）はバックライト１２における各単位ライトユニット１２Ｕの発光状態を、それぞれ示す。
なお、表示装置１の構成は、前述した第１実施形態と同様であり、説明は省略する。
【００３５】
本第２実施形態におけるローカルディミング制御は、局所的に階調調整の画像処理が施された画像に対するものである。
図８に示すように、第２実施形態におけるローカルディミング制御は、まず、画像解析部４１によって、入力画像における階調処理の有無を確認し（Ｓ８１）、階調処理が施された画像か否かを判断する（Ｓ８２）。
【００３６】
ステップ８２において階調処理が施された画像でない（Ｎｏ）と判断された場合には、彩度に応じた彩度対応制御を行う（Ｓ８３）。
一方、ステップ８２において階調処理が施された画像である（Ｙｅｓ）と判断された場合には、階調処理前と処理後の差分（元画像に対する処理量の多寡）を予め定めた閾値と比較する（Ｓ８４）。
【００３７】
ステップ８４においてを差分が閾値より大きい（Ｙｅｓ）と判断された場合には、輝度対応制御を行う（Ｓ８５）。
ステップ８４においてを差分が閾値より小さい（Ｎｏ）と判断された場合には、彩度対応制御を行う（Ｓ８３）。
なお、彩度対応制御および輝度対応制御は、前述した第１実施形態と同様であり、説明は省略する。
【００３８】
上記第２実施形態におけるローカルディミング制御では、たとえば、図９（ａ）に示すように液晶パネル１１の表示する画像が、窓から外の風景を撮影したような画像であってその風景部分のみに階調処理が施されている場合では、図９（ｂ）に示すように、輝度対応制御によって階調処理が施された風景部分を表示する単位表示領域１１Ｂｂと対応するバックライト１２における単位ライトユニット１２Ｕｂが増光される。
【００３９】
このような第２実施形態におけるローカルディミング制御によって、階調処理が施されている画像領域に対しては輝度対応制御を行うことで、階調処理が施された階調情報が豊富な画像領域では輝度ダイナミックレンジの広い階調を強調した表示が可能となる。
なお、上記実施形態におけるステップＳ８４（階調処理前と処理後の差分を閾値と比較するステップ）を省略し、ステップ８２の階調処理が施された画像であるか否か判断のみで輝度対応制御を行うように構成してもよい。
【００４０】
（第３実施形態）
つぎに、図１０および図１１に示す本発明における第３実施形態について説明する。
図１０は、本第３実施形態のフローチャートである。図１１は、その概念的な説明図であって、（ａ）は表示部１０における液晶パネル１１の表示画像を、（ｂ）はバックライト１２における各単位ライトユニット１２Ｕの発光状態を、それぞれ示す。
なお、表示装置１の構成は、前述した第１実施形態と同様であり、説明は省略する。
【００４１】
本第３実施形態におけるローカルディミング制御は、人物の入力画像に対するものである。
図１０に示すように、本第３実施形態におけるローカルディミング制御は、まず、画像解析部４１によって人物の顔部分を検出処理し（Ｓ１０１）、顔部分の有無を判断する（Ｓ１０２）。
【００４２】
ステップ１０２において顔部分がない（Ｎｏ）と判断された場合には、輝度対応制御を行う（Ｓ１０３）。
一方、ステップ１０２において顔部分がある（Ｙｅｓ）と判断された場合には、判定部４２が顔部分を含む所定範囲を対象範囲と判定する（Ｓ１０４）。
そして、ステップ１０４において判定された領域に対して彩度対応制御を行う（Ｓ１０５）。
なお、輝度対応制御および彩度対応制御は、前述した第１実施形態と同様であり、説明は省略する。
【００４３】
本第３実施形態におけるローカルディミング制御では、たとえば、図１１（ａ）に示すように液晶パネル１１の表示する画像の中央に人物の顔がある場合、図１１（ｂ）に示すようにその顔部分を表示する単位表示領域１１Ｂｆと対応するバックライト１２における単位ライトユニット１２Ｕｆが増光される。
これによって、主要被写体と思われる人物を浮き立たせた表示が可能となる。
【００４４】
なお、本第３実施形態におけるステップ１０２において顔部分がある（Ｙｅｓ）と判断された場合における彩度対応制御は、特定色相（たとえば肌色）における彩度で判断するように構成してもよく、その方がより好ましい。
【００４５】
（第４実施形態）
つぎに、図１２に示す本発明における第４実施形態について説明する。
図１２は、第４実施形態の概念的な説明図であって、（ａ−１）および（ａ−２）は表示部１０における液晶パネル１１の表示画像を、（ｂ−１）および（ｂ−２）はバックライト１２における各単位ライトユニット１２Ｕの発光状態を、それぞれ示す。
なお、表示装置１の構成は、前述した第１実施形態と同様であり、説明は省略する。
【００４６】
本第４実施形態は、前述したローカルディミング制御後の画像の表示に関するものである。
すなわち、図１２（ａ−１）および（ａ−２）に示すように、ローカルディミング制御前の画像表示を行い、バックライト１２における各単位ライトユニット１２Ｕの縦１列（ローカルディミング制御列１２Ｌ）についてローカルディミング制御を行って、そのローカルディミング制御列１２Ｌを（ｂ−１）から（ｂ−２）に示すように一定速度で図中横方向に移動（ワイプ）させる。
【００４７】
上記のような表示制御により、ローカルディミング制御前と制御後の画像が隣接して表示されることとなるために直接比較することができ、ローカルディミング制御による効果をより明確に把握することができる。ローカルディミング制御列１２Ｌは、横列として、図中縦方向に移動するように構成してもよい。
【００４８】
なお、上記構成ではローカルディミング制御列１２Ｌが通過後は元のローカルディミング制御前の画像表示に戻すが、ローカルディミング制御列１２Ｌが通過した後はそのままローカルディミング制御後の表示としてもよい。画像表示の初期段階においてこのような表示とすることにより、デジタルフォトフレーム等において画像を順次表示するような場合において、ローカルディミング制御の処理に時間を要するために迅速な表示が困難な場合にも画像を表示しつつ処理を行うことができる。このため、とぎれることなく滑らかに連続した画像表示が可能となる。
【００４９】
以上、本実施形態によると、以下の効果を有する。
（１）本発明の第１実施形態によるローカルディミング制御によれば、彩度対応制御によって、表示画像における彩度の高い部分のバックライト１２の照光を明るくすることにより、見た目の鮮やかさを強調することができる。また、無彩色に近い彩度の低い部分は通常の明るさであるため、より鮮やかさを引き立たせることができる。
また、彩度対応制御を行う彩度の高い部分が無い場合には、輝度対応制御を行うことで、階調を強調した鮮やかな表示が可能となる。
【００５０】
（２）本発明の第２実施形態によるローカルディミング制御によれば、表示画像における彩度の高い部分のバックライト１２を明るくすることにより、見た目の鮮やかさを強調することができると共に、階調処理が施されている画像領域に対しては輝度対応制御を行うことで、輝度ダイナミックレンジの広い階調を強調した表示が可能となる。
【００５１】
（３）本発明の第３実施形態におけるローカルディミング制御では、液晶パネル１１の表示する画像に人物の顔がある場合、その顔部分のバックライト１２の照光を明るくすることにより、主要被写体と思われる人物を浮き立たせて表示することが可能となる。
【００５２】
（４）本発明の第４実施形態による画像の表示制御によれば、ローカルディミング制御前の画像表示を行い、ローカルディミング制御を行うローカルディミング制御列１２Ｌをワイプすることで、ローカルディミング制御前と制御後の画像を直接比較することができ、ローカルディミング制御による効果をより明確に把握することができる。
【００５３】
（変形形態）
以上、説明した実施形態に限定されることなく、以下に示すような種々の変形や変更が可能であり、それらも本発明の範囲内である。
（１）上記実施形態は、本発明を単体で用いられる画像表示装置として説明したが、本発明は、これに限らず、デジタルカメラや携帯電話の表示装置に適用してもよい。すなわち、本発明は、画像データを表示するあらゆる装置に適用することができる。
【００５４】
（２）また、本発明に係るローカルディミング制御を行うアプリケーションプログラムがインストールされたＰＣ（パソコン）等によって、当該プログラムを実行することによって表示装置（ディスプレイ）に画像を表示し、ローカルディミング制御を行う画像表示装置として機能させてもよい。アプリケーションプログラムは、ＣＤ−ＲＯＭなどの記録媒体や、インターネットなどのデータ信号を通じて提供することができる。
【００５５】
なお、実施形態及び変形形態は、適宜組み合わせて用いることもできるが、詳細な説明は省略する。また、本発明は以上説明した実施形態によって限定されることはない。
【符号の説明】
【００５６】
１：画像表示装置、１０：表示部、１１：液晶パネル、１１Ｂ：単位表示領域、１２：バックライト、１２Ｕ：単位ライトユニット、１２Ｌ：ローカルディミング制御列、２０：制御装置、３０：駆動部、４０：ローカルディミング処理部、４１：画像解析部、４２：判定部、４３：ローカルディミング駆動制御部
【図１】
2013161053.tif 000003
【図２】
2013161053.tif 000004
【図３】
2013161053.tif 000005
【図４】
2013161053.tif 000006
【図５】
2013161053.tif 000007
【図６】
2013161053.tif 000008
【図７】
2013161053.tif 000009
【図８】
2013161053.tif 000010
【図９】
2013161053.tif 000011
【図１０】
2013161053.tif 000012
【図１１】
2013161053.tif 000013
【図１２】
2013161053.tif 000014